(57)【要約】【課題】肌の新陳代謝を促し、乾燥を防いで潤いを与える、看護や介護用として適当なウエットワイパーを提供する。【解決手段】吸液性の繊維を含む不織布には、角質柔軟成分と、天然保湿因子と、保湿性のある植物抽出エキスが含まれる。これにより、古い角質を取り除き角質細胞の生成を促し、かつ、肌に潤いを与え、乾燥を防ぐことができる。【特許請求の範囲】
【請求項１】
吸液性の繊維を含むシートに薬液が含浸されたものからなるウエットワイパーにおいて、
前記薬液中には、少なくとも、角質柔軟成分と、天然保湿因子と、植物抽出エキスと、を含むことを特徴とするウエットワイパー。
【請求項２】
前記角質柔軟成分は、α−ヒドロキシ酸であることを特徴とする請求項１記載のウエットワイパー。
【請求項３】
前記α−ヒドロキシ酸は、リンゴ酸、クエン酸及び乳酸からなる群から選ばれた１種類以上のものであることを特徴とする請求項１または２記載のウエットワイパー。
【請求項４】
前記天然保湿因子は、ピロリドンカルボン酸ソーダ、尿素、尿酸、アミノ酸及び乳酸塩からなる群から選ばれた１種類以上のものであることを特徴とする請求項１から３のいずれか記載のウエットワイパー。
【請求項５】
前記植物抽出エキスは、保湿作用を有するものであることを特徴とする請求項１から４のいずれか記載のウエットワイパー。
【請求項６】
前記植物抽出エキスは、ヘチマエキス、オウバクエキス、ジュウヤクエキス、ヒノキチオール及びカミツレエキスからなる群から選ばれた１種類以上であることを特徴とする請求項１から４のいずれか記載のウエットワイパー。
【請求項７】
前記液中には、アルコール成分として多価アルコールのみが含まれていることを特徴とする請求項１から６のいずれか記載のウエットワイパー。
【請求項８】
前記植物抽出エキスは多価アルコールにより抽出されたものであり、前記多価アルコールは、１，３−ブチレングリコール、プロピレングリコール及びグリセリンからなる群から選ばれた１種類以上のものであることを特徴とする請求項１から７のいずれか記載のウエットワイパー。
【請求項９】
前記薬液にはｐＨ調整剤が含まれており、当該薬液はそのｐＨが３以上６以下の弱酸性に調整されていることを特徴とする請求項１から８のいずれか記載のウエットワイパー。
【請求項１０】
前記シートには、レーヨン及び／またはコットンが配合されていることを特徴とする請求項１から９のいずれか記載のウエットワイパー。
【請求項１１】
前記シートの目付が、３０ｇ／ｍ２〜７０ｇ／ｍ２であることを特徴とする請求項１から１０のいずれか記載のウエットワイパー。
【請求項１２】
前記シートが不織布であることを特徴とする請求項１から１１のいずれか記載のウエットワイパー。
【請求項１３】
看護用及び／または介護用のものであることを特徴とする請求項１から１２のいずれか記載のウエットワイパー。
【発明の詳細な説明】
【０００１】
【発明の属する技術分野】
本発明は、ウエットワイパーに関するものである。
【０００２】
【従来の技術】
近年、高齢化社会が進むに従い、介護が必要な老人の数が増加してきている。また、老人でなくても病気や事故等により、寝たきりになってしまう人もいる。
【０００３】
従来、そのような人を清拭する際には、水で濡らしたタオルやおしぼり用途のウエットティッシュや乳児用のウエットティッシュが用いられてきた。このようなウエットティッシュは、主に不織布または水解性のシートなどに清浄用の薬液が含浸されたものであり、清浄効果の高い成分及びそれらを含んだ清拭材の開発がなされてきた。例えば、特開平３−１６５４２号公報に係る発明では、抗菌抗カビ性を有するパラオキシ安息香酸エステル、及びそれを薬液中に溶かしやすくするための溶媒であるプロピレングリコール及び１、３−ブチレングリコールを含んだ清拭材が提案されている。また、特開平４−１８３４７２号公報に係る発明では、抗菌抗カビ剤としてエタノールを含んだ殺菌消毒芳香剤が提案されている。
【０００４】
【発明が解決しようとする課題】
しかしながら、上記した従来からのウエットティッシュに含まれている薬液は、汚れを取り除く点では優れているが、エタノールを含んでいる場合、肌を保護するバリアの役目を果たす皮脂が取り除かれてしまう。そして、皮脂が取り除かれた部分からは雑菌の侵入が生じやすくなってしまうことから、エタノールを含有するウエットティッシュの場合には、エタノールが消毒薬として機能するものでありながら、かえって外部から雑菌が侵入しやすくなるという事態が生じる。また、上記のような従来からのウエットティッシュには保湿剤が全く含まれていない、或いは十分な量の保湿剤が含まれていないため、肌が乾燥しがちな老人では皮膚を荒れさせてしまう可能性がある。更に従来からのウエットティッシュには、肌を痛めることなく、古くなり硬くなった角質を除去するような機能を有する成分は含まれておらず、皮膚の老廃物となった古い角質を取り除くためには強い力で拭く必要があり、肌表面を傷つけてしまうこととなる。
【０００５】
即ち、従来からのウエットティッシュでは、使いようによっては、使う前よりも皮脂が取り去られ、より肌が乾燥してしまい、それに対する十分な保湿もなされず、更に皮膚の老廃物を、肌表面を傷つけずに取り除くことができない、ということがあった。
【０００６】
このような課題を解決するために、特開２００２−２０９７８８号公報に係る発明では、保湿作用を有する植物抽出エキスを含み、看護や介護用として適当なウエットワイパーが提案されている。しかし、植物抽出エキスは、肌表面を保湿するだけであり、角質層にまで潤いを与えることはできない。また、老人では、肌の新陳代謝が正常に行われないために角質層が厚くなり、肌がかさつくという問題があるが、そのような問題を改善する成分は含まれていない。
【０００７】
本発明は以上のような課題に鑑みてなされたもので、古くなった角質層を剥離させ新しい角質細胞の生成を促し、更に肌の乾燥を防ぎ、潤いを与えることを目的とするウエットワイパーを提供するものである。
【０００８】
【課題を解決するための手段】
以上のような目的を達成するために、本発明におけるウエットワイパーは、薬液中には、角質柔軟成分と、天然保湿因子と、植物抽出エキスと、を含むことを特徴とする。
【０００９】
より具体的には、本発明は、以下のようなものを提供する。
【００１０】
（１）　吸液性の繊維を含むシートに薬液が含浸されたものからなるウエットワイパーにおいて、前記薬液中には、角質柔軟成分と、天然保湿因子と、植物抽出エキスと、を含むことを特徴とするウエットワイパー。
【００１１】
上述した（１）の発明によれば、「前記薬液中には、角質柔軟成分と、天然保湿因子と、植物抽出エキスと、を含む」ことを特徴とする。
【００１２】
角質柔軟成分は、古く厚くなった角質層に浸透し、角質間の結合を溶かし、角質脱離を促すことで肌の新陳代謝を正常に行うようにする効果がある。
【００１３】
天然保湿因子は、もともと肌の角質にある保湿成分のことであり、角質層の水分を逃さない働きがある。老人になると、天然保湿因子は減少し、肌の水分の減少を引き起こす。天然保湿因子を塗布することにより、角質層の水分が保持され、肌の乾燥を改善することができる。
【００１４】
植物抽出エキスは、植物から抽出された有効成分である。植物抽出エキスには、保湿効果のあるもの、収斂効果のあるもの、消臭効果のあるものなどがある。保湿効果のあるものを用いることにより、肌を拭いたときに肌へ保湿性を与えることができる。
【００１５】
本発明では、角質柔軟成分と、天然保湿因子と、植物抽出エキスとを含むことにより、肌の新陳代謝を促し、肌に潤いを与え、老人に多く見られる肌の乾燥や、かさつきを改善することができる。
【００１６】
（２）　前記角質柔軟成分は、α−ヒドロキシ酸であることを特徴とする（１）記載のウエットワイパー。
【００１７】
上述した（２）の発明によれば、「前記角質柔軟成分は、α−ヒドロキシ酸である」ので、古く厚くなった角質を溶かし、角質脱離を促し、肌の新陳代謝を正常にすることにより、肌のかさかさを防止することができる。角質柔軟成分には、α−ヒドロキシ酸以外に尿素、ヨクイニンなどがあるが、α−ヒドロキシ酸は自然に発生する酸で、細胞にとって栄養物となり、肌に穏やかに作用するため、本発明ではα−ヒドロキシ酸を用いる。
【００１８】
（３）　前記α−ヒドロキシ酸は、リンゴ酸、クエン酸、乳酸からなる群から選ばれた１種類以上のものであることを特徴とする（１）または（２）記載のウエットワイパー。
【００１９】
上述した（３）の発明によれば、「前記α−ヒドロキシ酸は、リンゴ酸、クエン酸、乳酸からなる群から選ばれた１種類以上のものである」ので、古く厚くなった角質を溶かし、角質脱離を促し、肌の新陳代謝を正常にすることにより、肌のかさかさを防止することができる。
【００２０】
（４）　前記天然保湿因子は、ピロリドンカルボン酸ソーダ、尿素、尿酸、アミノ酸、乳酸塩のいずれか１種類以上のものであることを特徴とする（１）から（３）のいずれか記載のウエットワイパー。
【００２１】
上述した（４）の発明によれば、「前記天然保湿因子は、ピロリドンカルボン酸ソーダ、尿素、尿酸、アミノ酸及び乳酸塩のいずれか１種類以上のものである」ので、角質層の水分が保たれ、肌を潤すことができる。
【００２２】
（５）　前記植物抽出エキスは、保湿作用を有するものであることを特徴とする（１）から（４）のいずれか記載のウエットワイパー。
【００２３】
上述した（５）の発明によれば、「前記植物抽出エキスは、保湿作用を有するものである」ので、肌を拭いたときに肌へ潤いを与えることができる。そのため、肌の乾燥を防ぐことができる。
【００２４】
（６）　前記植物抽出エキスは、ヘチマエキス、オウバクエキス、ジュウヤクエキス、ヒノキチオール、カミツレエキスのいずれか１種類以上であることを特徴とする（１）から（５）のいずれか記載のウエットワイパー。
【００２５】
上述した（６）の発明によれば、「前記植物抽出エキスは、ヘチマエキス、オウバクエキス、ジュウヤクエキス、ヒノキチオール、カミツレエキスのいずれか１種類以上である」ので、肌を拭いたときに肌へ保湿性を与えることができる。そのため、肌の乾燥を防ぐことができる。
【００２６】
（７）　前記液中には、アルコール成分として多価アルコールのみが含まれていることを特徴とする（１）から（６）のいずれか記載のウエットワイパー。
【００２７】
上述した（７）の発明によれば、「前記液中には、アルコール成分として多価アルコールのみが含まれている」ので、老人の肌に刺激を与えること、また、肌の保湿性を低下させることを防止することができる。
【００２８】
低級アルコールは、肌への刺激が強く、肌を荒らす要因となる。そのため、本発明では、アルコール成分を多価アルコールのみとすることにより、老人の肌に適したウエットワイパーとすることができる。
【００２９】
（８）　前記植物抽出エキスは多価アルコールにより抽出されたものであり、前記多価アルコールは、１，３−ブチレングリコール、プロピレングリコール、グリセリンのいずれか１種類以上のものであることを特徴とする（１）から（７）のいずれか記載のウエットワイパー。
【００３０】
上述した（８）の発明によれば、「前記植物抽出エキスは多価アルコールにより抽出されたものであり、前記多価アルコールは、１，３−ブチレングリコール、プロピレングリコール、グリセリンのいずれか１種類以上のものである」ので、老人の肌に刺激を与えること、また、肌の保湿性を低下させることを防止することができる。
【００３１】
（９）　前記薬液にはｐＨ調整剤が含まれており、当該薬液はそのｐＨが３以上６以下の弱酸性に調整されていることを特徴とする（１）から（８）のいずれか記載のウエットワイパー。
【００３２】
上述した（９）の発明によれば、「前記薬液にはｐＨ調整剤が含まれており、当該薬液はそのｐＨが３以上６以下の弱酸性に調整されている」ことを特徴とする。皮膚のｐＨは、弱酸性に保たれている。そのため、肌に塗布するものも弱酸性であることが好ましい。本発明では、皮膚本来のｐＨに保つことができ、老人や肌の弱い人への肌刺激を低減させることができる。
【００３３】
尚、ｐＨ調整剤としては、乳酸ナトリウム、リンゴ酸ナトリウム、水酸化カリウム、クエン酸ナトリウムから選ばれる１種類以上であることが好ましい。
【００３４】
（１０）　前記シートには、レーヨン及び／またはコットンが配合されていることを特徴とする（１）から（９）のいずれか記載のウエットワイパー。
【００３５】
上述した（１０）の発明によれば、「前記シートには、レーヨン及び／またはコットンが配合されている」ので、肌触りが良く、被介護者の手や顔の肌、更に介護者の肌を傷つけないウエットワイパーを得ることができる。
【００３６】
レーヨンやコットンは、共に、吸水性が良く、肌触りが優しという性質を有した繊維である。本発明では、レーヨンとコットンの両方またはどちらか一方が配合されているため、被介護者及び介護者の肌を傷つけないウエットワイパーを得ることができるのである。
【００３７】
（１１）　前記シートの目付が、３０ｇ／ｍ２〜７０ｇ／ｍ２であることを特徴とする（１）から（１０）のいずれか記載のウエットワイパー。
【００３８】
上述した（１１）の発明によれば、「前記シートの目付が、３０ｇ／ｍ２〜７０ｇ／ｍ２である」ことを特徴としている。
【００３９】
目付が３０ｇ／ｍ２未満では、シートが薄くなり過ぎて拭き取り時に支障が生じてしまう。また、７０ｇ／ｍ２を超えると厚すぎて折りたたみにくくなり、細かい部分を拭くときに支障が生じてしまう。本発明では、前記シートの目付が３０ｇ／ｍ２〜７０ｇ／ｍ２となっているため、最も使いやすい厚さとなることができる。
【００４０】
（１２）　前記シートが不織布であることを特徴とする（１）から（１１）のいずれか記載のウエットワイパー。
【００４１】
上述した（１２）の発明によれば、「前記シートが不織布である」ことを特徴としている。
【００４２】
不織布とは、編み、織りなどの方法によらないで、繊維のままで布状にしたもののことをいう。不織布は、あらゆる繊維を用いることができ、また、工程により、緻密なものから空隙の多いもの、柔らかいものから硬いもの、厚いものから薄いものまで自在に作ることができる。また、吸液性、撥水性など用途に応じて機能を持たせることができる。従って、本発明において、吸液性があり、かつ厚手で柔らかく、使いやすいウエットワイパーを得ることができるのである。
【００４３】
（１３）　看護用及び／または介護用のものであることを特徴とする（１）から（１２）のいずれか記載のウエットワイパー。
【００４４】
上述した（１３）の発明によれば、「看護用及び／または介護用のものである」ので、看護及び／または介護をする人及びされる人双方に使いやすいウエットワイパーを得ることができる。
【００４５】
従来は、特に看護用、介護用といった目的のウエットワイパーは開発されておらず、介護者や看護者は、一般のものまたは乳児用のものを用いていたため、保湿が十分でなく使用後に肌が荒れるなどの問題があった。本発明のウエットワイパーでは、主に老人の肌の特性に合わせた作りとなっているため、看護や介護をする人される人の双方に使い易いものとすることができる。
【００４６】
［用語の定義等］
本発明に係る「ウエットワイパー」とは、吸液性の繊維に薬液が含浸されているシートで、清拭を目的としたもののことをいい、ウエットティッシュやウエットタオル等が該当する。
【００４７】
本発明に係る「角質柔軟成分」とは、古く硬くなった角質を柔らかくし、角質脱離を促すことにより肌の新陳代謝を正常な状態に戻す成分のことをいい、本発明で用いるのはα−ヒドロキシ酸である。
【００４８】
また、「天然保湿因子」とは、もともと肌の角質にある保湿因子のことで、角質層の水分を逃さない働きがあり、減少すると肌が乾燥しやすくなるものである。
【００４９】
また、「植物抽出エキス」とは、植物から抽出したエキスのことであり、本発明においては、その中でも保湿性のある植物抽出エキスのことをいう。
【００５０】
【発明の実施の形態】
次に、本発明のウエットワイパーの実施形態について説明する。
【００５１】
本発明のウエットワイパーは、吸液性があり、かつ柔らかい繊維から成る厚手のシート、特に不織布から形成される。親水性の繊維としては、レーヨン、コットン、パルプなどの繊維から選択できる。尚、レーヨンとコットンの両方を含むものでもよい。更に、親水化処理を施した、ポリプロピレン、ポリエステル、ポリエチレンなどから選択される合成繊維などを配合することができる。前記合成繊維としては、例えば、芯と鞘がポリプロピレン、芯がポリプロピレン、鞘がポリエチレンなどの複合繊維を用いることができる。また、単独樹脂で形成された繊維であってもよい。疎水性繊維としては、ポリエチレン、ポリプロピレン、ポリアミド系合成繊維、ポリエステル等の熱可塑性合成繊維やこれらの複合繊維を用いることができる。
【００５２】
このような不織布の繊維配合割合は、親水性繊維が０．５重量％以上７０重量％以下の範囲であることが好ましい。０．５重量％以下では、液の含有量が少なすぎて拭き取りにくくなり、また肌触りの悪いごわごわした不織布になる。また、７０重量％以上では、生産性及びコストの点でバランスよく配合することが困難になる。これらの繊維は、互いに機械的に絡み合うか、熱により溶着するか、または絡み合いと溶着によって不織布としての形態を維持している。特に、肌触りが良いウエットワイパーが必要な場合には、繊維が機械的に絡み合うものであることが好ましい。
【００５３】
また、このような不織布は、３０〜７０ｇ／ｍ２の秤量であることが好ましく、さらには４０ｇ／ｍ２以上であることが好ましい。３０ｇ／ｍ２以下では、シートが薄くなりすぎて拭き取り時に支障が生じ、７０ｇ／ｍ２以上になると折りたたみにくくなり、細かい部分を拭く場合に困難が生じる。
【００５４】
本発明のウエットワイパーでは、角質柔軟成分と天然保湿成分と植物抽出エキスとを含む液を含浸液として、上述の不織布を含浸させることで得られる。
【００５５】
本発明に用いる角質柔軟成分は、リンゴ酸、クエン酸、乳酸のいずれか１種類以上の使用が好ましい。このような角質柔軟成分は、カルボキシル基とヒドロキシル基を持つα−ヒドロキシ酸で、一般にフルーツ酸と言われる。これらのフルーツ酸類は、古く厚くなった角質層に浸透し、角層間の結合を溶かし、角質脱離を促すことで肌の新陳代謝が正常に行われるようにする効果がある。老人になると、新陳代謝が低下し、角質層が厚く硬くなり、肌がかさかさしてくる。上記の角質柔軟成分を用いることにより、そのような症状を改善することができる。
【００５６】
このような角質柔軟成分は、ウエットワイパーに含浸する総液量の０．０５〜３．０重量％の割合で含まれることが好ましい。
【００５７】
本発明に用いる天然保湿因子は、例えば、ピロリドンカルボン酸ソーダ（ＰＣＡ−Ｎａ）、尿素、尿酸、アミノ酸及び乳酸塩などが挙げられ、特にＰＣＡ−Ｎａの使用が好ましい。ＰＣＡ−Ｎａは、他の天然保湿因子よりも、より一層保湿効果が高いからである。ＰＣＡ−Ｎａは、人の皮膚の角質層に含まれている吸湿性成分であり、水分を保有する天然保湿因子の一つであるピロリドンカルボン酸のナトリウム塩である。天然保湿因子は、水でよく抽出される成分であり、吸湿力が強く、これにより肌水分を保有する状態となっている。上記したＰＣＡ−Ｎａは、肌に付着すると肌に付いた水分を吸収して保有し、これにより肌をしっとりさせることができる。
【００５８】
このような天然保湿因子は、ウエットワイパーに含浸する総液量の０．０５〜１．０重量％の割合で含まれることが好ましい。天然保湿因子の配合割合が０．０５重量％未満であると、肌を保湿するのに十分な効果が得られない。
【００５９】
本発明に用いる植物抽出エキスは、例えば、ヘチマエキス、オウバクエキス、ジュウヤクエキス、ヒノキチオール、カミツレエキスなどが挙げられ、これらのうちいずれか１種類以上の使用が好ましい。本発明では、保湿性のある植物抽出エキスのみ用い、保湿性のない植物抽出エキスは用いない。これらの植物抽出エキスを含むと、肌を拭いたときに肌へ保湿性を与えることができる。また、これらの植物抽出エキスを抽出する際には、１，３−ブチレングリコール、プロピレングリコール、グリセリンのいずれか１種類以上の多価アルコールを用いることが好ましい。
【００６０】
上記したような植物抽出エキスは、ウエットワイパーに含浸する総液量の０．０２〜５．０重量％の割合で含まれることが好ましい。
【００６１】
本発明のウエットワイパーの含浸液には、本発明の目的を損なわない範囲において、必要に応じて、保湿剤、油分、界面活性剤、ｐＨ調整剤、抗菌抗カビ剤、酸化防止剤、金属イオン封鎖剤、消臭剤、消炎剤、清涼剤、殺菌剤などを配合できる。
【００６２】
保湿剤としては、例えば、ポリエチレングリコール、ヒアルロン酸ナトリウム、油分としては、オリーブ油、ワセリン、スクワランが挙げられ、これらのうちいずれか１種類以上の使用が好ましい。
【００６３】
このような保湿剤は、ウエットワイパーに含浸する総液量の０．１〜５．０重量％の割合で含まれることが好ましい。特に、保湿剤の配合割合が０．１重量％未満では、十分な保湿の作用の得られない可能性があるので、好ましくない。
【００６４】
ｐＨ調整剤としては、例えば、乳酸ナトリウム、リンゴ酸ナトリウム、水酸化カリウム、クエン酸ナトリウムから選ばれる１種類以上であることが好ましい。また、このようなｐＨ調整剤が配合されることによって、ｐＨが３以上６以下の弱酸性に調整され、お年寄りや肌の弱い人への肌刺激を低減することができる。
【００６５】
防腐防カビ剤としては、パラオキシ安息香酸エステル類、塩化セチルピリジニウム、塩化ベンザルコニウム、安息香酸塩が挙げられ、このような防腐防カビ剤は、上記したウエットワイパーのレーヨンやコットンに雑菌が繁殖するのを防止するのに必要な量を添加できる。また、パラオキシ安息香酸エステル類は水に対する溶解性が劣るので、このようなエステル類との溶解性が良好な１，３−ブチレングリコール、プロピレングリコール、グリセリン、メタノール、エタノールなどの溶剤が加えられて、上記したウエットワイパーの含浸液とされるが、肌への刺激を低減する点において、メタノール、エタノールのような低級アルコールは含まれないことが好ましい。
【００６６】
なお、上記した含浸液に添加されるｐＨ調整剤は、他の必要な溶剤がすべて配合された後適量が加えられ、最終的に、ｐＨ３以上６以下の弱酸性の範囲に調節される。このときのｐＨは、ほぼ常温での測定値である。
【００６７】
このような含浸液は、不織布の乾燥重量に対して１５０〜３００重量％の範囲で含浸させる。液量が１５０％未満であると、厚手の不織布全体を十分に含浸させることができず、上記した角質柔軟剤による角質柔軟作用、上記した天然保湿因子による保湿作用、上記した植物抽出エキスによる保湿作用を、肌に対して十分に生かすことができない。また、ウエットワイパーの充分な拭き取り効果が発揮されなくなる。また、３００％より多いと、不織布に含浸しきれず、拭いたあとの肌が濡れすぎて不快であるし、放置しておくと肌がカブレやすい状態になる。
【００６８】
【実施例】
以下、実施例と比較例を挙げて本発明を詳細に説明する。なお、本発明はこれらにより限定されるものではない。配合量は、質量％である。
【００６９】
（実施例１〜３及び比較例１〜７）この実施例１〜３及び比較例１〜６では、ポリエステル繊維、ポリプロピレン繊維、レーヨン繊維がそれぞれ４５．０％、５．０％、５０．０％の割合で配合されて、スパンレース法により、目付が３８ｇ／ｍ２になるように製造された不織布を使用した。なお比較例７のみ、ポリエステルとポリプロピレンとが５０％ずつ含まれたものを使用した。表１に示す配合比の含浸液を、実施例１〜３及び比較例１〜７について、上記した不織布の質量に対して液の質量が２．５倍となるように浸してウエットワイパーを得た。
【００７０】
ただし、表１において、植物抽出エキスＡ、Ｂ、Ｃ、Ｄ、Ｅは、それぞれヘチマ、ジュウヤク、オウバク、ビワの葉、アロエを原料としたものである。上記した抽出エキスＡは、ヘチマの乾燥した地上部１００ｇに１，３−ブチレングリコール３００ｇ及び精製水７００ｇを加え、室温にて１０日間、時々攪拌しながら抽出を行い、濾過後、３０％１，３−ブチレングリコールを加え１０００ｇとした。また、上記した抽出エキスＢは、ドクダミの開花期の地上部１００ｇを細切りにし、１，３−ブチレングリコール６００ｇ及び精製水６００ｇを加え、室温にて攪拌しながら抽出を行う。抽出後、濾過して得られたエキスを５℃にて１０日間静置後、再び濾過し、５０％１，３−ブチレングリコールを加え、１０００ｇとした。また、抽出エキスＣは、オウバクの周皮を除いた樹皮２００ｇに１，３−ブチレングリコール１２００ｇを加え、室温にて１０日間時々攪拌しながら抽出を行い、濾過後、約１０００ｇを得た。上記した抽出エキスＤは、ビワの乾燥葉を粉末にしたもの１００ｇに、１，３−ブチレングリコール９００ｇ及び精製水１００ｇを加え、室温にて１０日間、時々攪拌しながら抽出を行い、濾過することで約９００ｇの植物抽出エキスを得た。また、上記した抽出エキスＥは、アロエベラ及びその変種の葉の液汁を濾過精製し乾燥した粉末５０ｇに、１，３−ブチレングリコール５５０ｇ及び精製水５５０ｇを加え、５時間攪拌した後、室温にて１０日間静置し、濾過後、１０００ｇの植物抽出エキスを得た。
【００７１】
なお、植物抽出エキスＦは、オウバクまたはその他同属植物の周皮を除いた樹皮２００ｇにエタノール（エチルアルコール）及び精製水の混液（７：３）１２００ｇを加え、室温において１０日間時々攪拌しながら抽出を行い、濾過して約１０００ｇの植物抽出エキスを得た。
【００７２】
また、表１での各植物エキスＡ、Ｂ、Ｃ、Ｄ、Ｅの含有量は、上記した１，３−ブチレングリコールや、１，３−ブチレングリコール及び精製水で植物エキスを抽出した抽出液の含有量（質量％）を意味している。また、植物抽出エキスＦの含有量は、上記したエチルアルコール及び精製水で植物エキスを抽出した抽出液の含有量（質量％）を意味している。
【００７３】
（評価方法）
＜拭き易さ＞
寝たきり老人を想定したモニター（被介護者）２０名の前腕部を、介護者モニターに拭かせる試験を行った。上記した被介護者に対して、介護者に拭かれているときに痛みや違和感を覚えたか否かについての質問を行った。表１中、拭き易さに関する評価で、介護者モニターと被介護者モニターの全員が良好と感じたとき○で表し、１人でも良好と感じなかった場合を×で表した。
【００７４】
＜肌へのやさしさ試験＞
上記した被介護者に対して、上記した試験直後に、被介護者モニターの肌の状態を目視で観察した。また、試験後３時間経過した後の肌の状態を目視にて観察した。表１中、特に肌荒れや赤みが認められなかった場合を○であらわし、荒れや赤みが認められた場合を×であらわした。
【００７５】
＜しっとり感＞
上記した試験とは別の被介護者モニター３０名を、上記した試験とは別の介護者モニターに、４０枚のウエットワイパーを５日間連続して使用させる試験を行った。試験開始から５日後の被介護者モニターの肌の状態を目視で観察した。評価基準は、しっとりしていると回答した介護者モニターの人数が、１５人以上なら○、５〜１４人なら△、５人以下なら×とした。
【００７６】
【表１】
2004089300.tif 000002
【００７７】
表１の結果より、以下のことが明らかである。すなわち、実施例では、吸液性があるレーヨン繊維を含み、さらにリンゴ酸、ＰＣＡ−Ｎａ、１，３−ブチレングリコールで抽出された植物抽出エキスが含まれているため、拭き易さ、肌へのやさしさ、しっとり感に関して、いずれも良好な結果が得られた。
【００７８】
また、実施例２、３のように、リンゴ酸を０．０５〜２．０質量％、ＰＣＡ−Ｎａを０．０５〜１．０質量％、植物抽出エキスＡ、Ｂ、Ｃを各々０．０２〜０．２質量％の範囲で含浸液に含有させた場合も、実施例１と同様に、上記した拭き易さ、肌へのやさしさ、しっとり感の各評価に対して、良い評価が得られた。
【００７９】
これに対し、比較例１では肌へのしっとり感に対する評価が、実施例１に比べて低く、保湿効果があまり高くないという結果が得られた。これにより、リンゴ酸と植物抽出エキスだけの組み合わせでは肌をしっとりさせる効果が低いということが証明された。
【００８０】
また、比較例２及び３においても、ＰＣＡ−Ｎａと植物抽出エキスだけの組み合わせ、及びリンゴ酸とＰＣＡ−Ｎａだけの組み合わせでは、どちらにおいても肌のしっとり感を実感したモニター数が実施例１に比べて少なく、肌をケアする効果が少ないという効果が得られた。
【００８１】
さらに、比較例４、５では、しっとり感に関して実施例１に比べ実感されなかった。よって、植物抽出エキスだけでは、肌をしっとりさせる効果が少ないことが確認された。
【００８２】
また、比較例６では、肌へのやさしさに関して、使用直後及び３時間経過後のいずれにおいても、肌の状態の悪化が確認され、また、しっとり感もほとんどの人で実感されなかった。これは、低級アルコールであるエチルアルコールで抽出したエキスを使用し、溶剤としてエチルアルコールを用いたためである。
【００８３】
また、比較例７では、実施例１に比べ拭き取りにくいと評価されたが、これは吸液性の繊維が含まれていないため、シート内に含浸液が取り込まれなかったためである。
【００８４】
さらに表１中に示した実施例１の含浸液を上記した不織布に対して質量比で２５０％含浸させ、ウエットワイパーを得た。温度２０℃、湿度６０％の恒温恒湿室に２０分入り、その後、上記したウエットワイパーで前腕内側を１０回拭き、皮膚のコンダクタンスを高周波インピーダンス測定器であるスキンサーフェースハイドロメータ（ＩＢＳ社製　ＳＫＩＣＯＮ−２００）にて測定した。このコンダクタンスは、単位μＳ（マイクロジーメンス）で表される値であり、この値が高いほど肌の水分量が多いということになる。試験の結果、上記したウエットワイパーで拭いた後約１０分後のコンダクタンスは、６１μＳになり、試験開始前（１２μＳ）に比べ約５倍の値を示した。
【００８５】
【発明の効果】
本発明によれば、角質柔軟成分と、天然保湿因子と、天然植物から抽出した抽出エキスを含んでいるため、肌の新陳代謝を正常にし、肌に潤いを与えることができる。